(57)【要約】【課題】ショーツに固定された吸収性物品の形状を安定化し得るサニタリーショーツを提供すること。【解決手段】サニタリーショーツ１の後身頃３は、胴回り部を形成する伸縮性の布地７と脚周り側を覆う布地８とを有し、両布地７，８は部分的に重ね合わされている。両布地７，８の重ね合わせ部位の形状は、クロッチ部４の長手方向の端部から、前身頃２と後身頃３との結合部Ｓに向けてそれぞれ延びる略Ｖ字型の形状である。略Ｖ字型の形状の部位は、各布地７，８単独から構成されている部位よりも伸縮応力が高められている。【選択図】  図１
2006166941.tif 000002
【特許請求の範囲】
【請求項１】
吸収性物品がクロッチ部に取り付けられて使用されるサニタリーショーツであって、
前記サニタリーショーツの少なくとも後身頃は、胴回り部を形成する伸縮性の布地と脚周り側を覆う布地とを有し、両布地は部分的に重ね合わされており、
両布地の重ね合わせ部位の形状は、クロッチ部の長手方向の端部から、前身頃と後身頃との側方結合部に向けてそれぞれ延びる略Ｖ字型の形状であり、
前記略Ｖ字型の形状の部位は、前記の各布地単独から構成されている部位よりも伸縮応力が高められているサニタリーショーツ。
【請求項２】
前記脚周り側を覆う布地は、多数の開孔が設けられた伸縮材料から形成されている請求項１記載のサニタリーショーツ。
【請求項３】
前記脚周り側を覆う布地は、伸縮性のレース地で形成されている請求項２記載のサニタリーショーツ。
【請求項４】
前記Ｖ字状の部位は、クロッチ部の長手方向の端部において、該クロッチ部の幅方向に沿って該クロッチ部に結合されており、
結合部分の長さが、該クロッチ部の幅方向の長さの７０％以上となっている請求項１ないし３記載のサニタリーショーツ。
【請求項５】
クロッチ部は、着用者の身体に近い側に位置する内面クロッチ部と、着用者の身体に遠い側に位置する外面クロッチ部とを有しており、
内面クロッチ部の左右両側縁部が、前記脚周り側を覆う布地によって形成される脚開口部の縁部と滑らかに連なっている請求項１ないし４の何れかに記載のサニタリーショーツ。
【請求項６】
前身頃が、胴回り部を形成する伸縮性の布地と脚周り側を覆う布地とを有し、両布地が部分的に重ね合わされており、
両布地の重ね合わせ部位の形状は、クロッチ部の長手方向の端部から、前身頃と後身頃との側方結合部に向けてそれぞれ延びる略Ｖ字型の形状であり、
前記略Ｖ字型の形状の部位は、前記の各布地単独から構成されている部位よりも伸縮応力が高められている請求項１ないし５の何れかに記載のサニタリーショーツ。
【請求項７】
前記Ｖ字状の部位は、クロッチ部の長手方向の端部において、該クロッチ部の幅方向に沿って該クロッチ部に結合されており、
結合部分の長さが、該クロッチ部の幅方向の長さの７０％以上となっている請求項６記載のサニタリーショーツ。
【請求項８】
前身頃を上に向けて前記ショーツを平らな状態に載置したとき、前身頃とクロッチ部との結合部及びその近傍の部位にたるみが生じるような形状に前身頃が構成されている請求項１又は６記載のサニタリーショーツ。
【請求項９】
脚周り側を覆う前記布地によって形成される脚開口部の縁部が波形形状になっている請求項１又は６記載のサニタリーショーツ。
【請求項１０】
脚周り側を覆う前記布地によって形成される脚開口部の縁部及びその近傍の部位に、該布地が他の布地と縫い合わされている縫い目が存在していない請求項１又は６記載のサニタリーショーツ。
【発明の詳細な説明】
【技術分野】
【０００１】
本発明は、股下部に吸収性物品が取り付けられて使用されるサニタリーショーツに関する。
【背景技術】
【０００２】
生理用品やパンティライナー等の吸収性物品は一般に、その着衣対向面に施されたホットメルト粘着剤等の固定材料によって、ショーツ等の着衣に固定されて使用される。これによって吸収性物品の変形を防ぐと共に吸収性物品を着用者の身体に密着させ、吸収性物品からの液漏れを防止すると共に装着感を良好にすることを図っている。この目的のために、吸収性物品の変形を防ぎ、吸収性物品の形状を維持するための保持部を、ショーツのクロッチ部に形成したサニタリーショーツが提案されている（特許文献１参照）。
【０００３】
また、吸収性物品を着用者の身体に密着させることを目的として、サニタリーショーツの横方向中心で縦方向に延びる中央線に沿って伸縮部を形成し、伸縮部が胴回り部から股下部に向けて幅方向寸法が徐々に短くなるように形成したサニタリーショーツが提案されている（特許文献２参照）。更に、良伸縮部と微伸縮部とを有し、微伸縮部によってショーツを引き上げる動作をそのまま作用させて吸収性物品を身体と密着させ、また良伸縮部によって装着感を良好にしたショーツが提案されている（特許文献３参照）。
【０００４】
【特許文献１】特開平２−２９２５０号公報
【特許文献２】特開２００１−２７６１２９号公報
【特許文献３】特開２００４−２５４８６０号公報
【発明の開示】
【発明が解決しようとする課題】
【０００５】
特許文献１に記載のショーツは、保持部が配置された位置では吸収性物品の形状が安定化される。しかし保持部は部分的に配置されているものなので、吸収性物品全体の形状を安定にすることは容易でない。逆に、保持部をクロッチ部の全体に配すると、装着中の違和感になりやすい。特許文献２に記載のショーツは、中央軸線周辺の吸収性物品のフィット性は向上するが、中央軸線以外の部分では伸縮部の幅が狭くなる。従って、股間部の両側部では吸収性物品が着用者の身体にフィットせず、装着中の動きに起因する液戻りによる漏れや、液が肌を伝わる事による漏れ等を防ぐことができない。特許文献３記載のショーツは、微伸縮部によってショーツのサポート性を股間部に伝達するようになってはいるものの、クロッチ部との結合が幅方向中央によっており、特許文献２と同様の欠点を有する。
【０００６】
従って本発明の目的は、前述した従来技術が有する欠点を解消し得るサニタリーショーツを提供することにある。
【課題を解決するための手段】
【０００７】
本発明は、吸収性物品がクロッチ部に取り付けられて使用されるサニタリーショーツであって、
前記サニタリーショーツの少なくとも後身頃は、胴回り部を形成する伸縮性の布地と脚周り側を覆う布地とを有し、両布地は部分的に重ね合わされており、
両布地の重ね合わせ部位の形状は、クロッチ部の長手方向の端部から、前身頃と後身頃との結合部に向けてそれぞれ延びる略Ｖ字型の形状であり、
前記略Ｖ字型の形状の部位は、前記の各布地単独から構成されている部位よりも伸縮応力が高められているサニタリーショーツを提供することにより、前記目的を達成したものである。
【発明の効果】
【０００８】
本発明のサニタリーショーツによれば、ショーツに固定された吸収性物品の形状を安定化することができる。その結果、吸収性物品が身体にフィットしやすくなり、吸収性物品の漏れ防止性及び装着感が向上して、使用者の不快感を軽減することができる。
【発明を実施するための最良の形態】
【０００９】
以下、本発明のサニタリーショーツ（以下、単にショーツともいう。）を、その好ましい実施形態に基づき図面を参照しながら説明する。図１（ａ）は、本発明のショーツが着用された状態で、該ショーツを後身頃側からみた正面図であり、図１（ｂ）はショーツが着用された状態で、該ショーツを前身頃側から見た正面図である。尚、着用者の体型によって、着用状態の見た目（印象）は変化する。また、図２は図１に示すショーツを、前身頃と後身頃との結合部で切断して平面に広げた状態を内側からみた平面図である。図３（ａ）及び（ｂ）は、前身頃及び後身頃をそれぞれ構成する布地を示す図である。
【００１０】
図１及び図２に示すように、ショーツ１は、前身頃２、後身頃３、クロッチ部４を有している。前身頃２の両側縁部と後身頃３の両側縁部とは、ショーツ１の前身頃寄りの位置で、ショーツ１の長手方向に延びる線状の側方結合部Ｓにおいて結合されている。結合には、典型的には縫合が用いられる。結合によって、胴開口部５と、一対の脚開口部６，６が形成される。胴開口部５には、その開口縁に沿って、ひも状の弾性部材９が環状に配されている。
【００１１】
後身頃３は、胴回り部を形成する布地（以下、胴回り布地という）７と、脚周り側を覆う布地（以下、脚周り布地という）８とを有している。胴回り布地７は、ショーツ１の内面側に位置し、また脚周り布地８はショーツ１の外面側に位置している。
【００１２】
図３（ａ）に示すように、胴回り布地７は、ショーツ１の長手方向に関し、クロッチ部４の長手方向の端部から胴開口部５の開口縁までの領域に存在している。また、ショーツ１の幅方向に関しては、クロッチ部４の端部から胴開口部５の開口縁へ向けて次第に幅を広げながら延びている。一方、脚周り布地８は、ショーツ１の幅方向に関し、ショーツ１の一方の側方結合部Ｓから他方の側方結合部Ｓにわたって存在している。脚周り布地８は、略Ｖ字型の形状をしている。図２に示すように、胴回り布地７の端部及び脚周り布地８の端部は何れも、クロッチ部４の長手方向の端部において該クロッチ部に結合している。
【００１３】
後身頃３においては、胴回り布地７及び脚周り布地８それぞれから単独で形成される部位と、両布地７，８が重ね合わされて構成されている部位とが存在している。つまり両布地７，８は部分的に重ね合わされている。後身頃３における両布地７，８が重ね合わされている部位の形状は略Ｖ字型になっている。具体的には、両布地の重ね合わせ部位は、クロッチ部４における後身頃側の長手方向の端部４ａから、前身頃２と後身頃３との側方結合部Ｓに向けてそれぞれ延びる略Ｖ字型の形状となっている（図１（ａ）においてドット状の模様を付した部位）。略Ｖ字型の形状の部位（以下、この部位を後身頃パワーバンドＰＢ１という）は、前記の各布地７，８単独から構成されている部位よりも伸縮応力が高められている。
【００１４】
後身頃パワーバンドＰＢ１の伸縮応力が高められていることにより、ショーツ１の上斜め外方（図１（ａ）中、矢印で示す方向）に引き下げ力の働く方向が変えられることによって力が分散され、ショーツ１の引き上げ性（即ちクロッチ部４の引き上げ性）が向上し、クロッチ部４における吸収性物品のフィット性が向上する。これに対して従来のショーツでは、ショーツの幅方向の縦中心線に沿って弾性部材による伸縮力が働いており、引き下げ力がそのまま縦方向に作用する結果、胴開口部５で働く収縮力（通常胴回り部に配置される弾性部材による）の方向と直交する方向にショーツの引き下げ力が強く働いてしまい、ショーツのずり下がりが起こり股間部における吸収性物品のフィット性を向上させ難い。
【００１５】
パワーバンドＰＢ１は、クロッチ部４との結合部位から徐々にあるいは一旦収束しながら徐々に側方接合部Ｓに向かって幅を細くしながら配置されており、前述した引き下げ力に対する力の拡散効果と、側方接合部Ｓの胴開口部側端部への力の収束効果を有している。力の収束効果とは、引き下げ力を拡散した結果、斜め方向に働くようになした力を部分的に集中させるようにすることを意味し、力の強い領域が身体の曲面形状に接した場合に発生し易いよれやしわを防止することで装着者の身体形状へのフィット性を高める効果を有する。さらに、胴開口部側縁部へ力を導くことによって、装着者の（脚等の）動きによる影響を少なくする効果を有する。
【００１６】
後身頃パワーバンドＰＢ１の上側の端部Ｔ１（図１（ｂ）参照）は、側方結合部Ｓにおいて所定の幅Ｗ１（図１（ｂ）、図２参照）をもって終端している。後身頃パワーバンドＰＢ１によるショーツ１の引き上げ効果を一層高める等の観点から、この幅Ｗ１は５〜３０ｍｍ、特に１０〜２０ｍｍであることが好ましい。また、該端部Ｔ１は、胴開口部５の開口縁から所定の距離を隔てて結合部Ｓにおいて終端している。該端部Ｔ１と胴開口部５の開口縁との距離Ｄ１は、後身頃パワーバンドＰＢ１によるショーツ１の引き上げ効果を一層高める等の観点から、１５ｍｍ以下、特に０〜１０ｍｍであることが好ましい。なお、パワーバンドの幅Ｗ１は、生地の端部に凹凸（山と谷）がある場合は、凹部（谷部）に相当する位置で計測する。
【００１７】
胴回り布地７としては伸縮性の素材が用いられる。例えばメリヤス、トリコット等の編み物が好ましく用いられる。編み物以外の生地、例えば不織布などであっても伸縮性を有すれば特に材料に制限はない。胴回り布地７の構成繊維としては、ポリアミドやポリエステル等の合成繊維、レーヨンやキュプラなどの再生繊維、さらにコットン等の天然繊維が使用可能である。伸縮性のあるポリウレタン等をこれらの繊維と混綿して伸縮性を高めても良い。
【００１８】
脚周り布地８としては、胴回り布地７と同様に伸縮性を有するものを好ましく使用できるが、これに限られない。例えば、伸縮性材料を配したネットや伸縮性のレース地（例えばラッセルレース、リバーレース、コメットレース）など、布地に孔が施されたものを用いることが、通気性を高める点及び脚部の様々な動きに対応することができる点で好ましい。この理由は、脚周り布地８が仮に一方向への伸縮性材料であっても、孔が存在することによって伸張方向が多方向化するためである。
【００１９】
図１（ａ）に示すように、胴周り布地７と脚周り布地８は、少なくとも胴回り側縫合線１０と脚部側縫合線１１の２ヵ所における縫合によって結合されており、これによって先に述べた後身頃パワーバンドＰＢ１が形成されている。脚部側縫合線１１は、後身頃パワーバンドＰＢ１とクロッチ部４との結合部付近を除き、脚周り布地８によって形成される脚開口部６の縁部１２から隔てられている。その結果、縁部１２及びその近傍の部位においては、後身頃パワーバンドＰＢ１とクロッチ部４との結合部付近を除き、脚周り布地８が他の布地と縫い合わされている縫い目が存在していない。それによって、ショーツ１を着用した場合、縁部１２が薄く形成され、該縁部１２の凹凸が外衣から見えづらくなるという利点がある。即ち、いわゆるアウターに響かなくなるという利点がある。しかも、縁部１２が波形形状になっているので、見た目で直線状あるいは曲線状と認識しにくくなり、該縁部１２の凹凸を一層目立たなくすることができる。その上、脚部側縫合線１１から隔てられた位置に波形状の縁部１２が存在することで、該縁部１２がショーツ１の内側に折り込まれにくくなっており、また皺が発生しづらくなっている。これによって、ショーツ１を着用している様々な局面で、縁部１２がアウターに響かない構成となっている。縁部１２が波形形状（スカラー部）にされた伸縮性のレース地から構成されていると、縁部１２がアウターに響かない効果とあわせて、装着時の印象を高めるという効果も奏されるので一層好ましい。
【００２０】
ショーツ１の前身頃２は、後身頃３とほぼ同様の構成となっている。前身頃２は、図１（ａ）に示すように、胴回り部を形成する布地（以下、胴回り布地という）７’と、脚周り側を覆う布地（以下、脚周り布地という）８’とを有している。胴回り布地７’は、ショーツ１の内面側に位置し、また脚周り布地８’はショーツ１の外面側に位置している。
【００２１】
図３（ｂ）に示すように、胴回り布地７’は、ショーツ１の長手方向に関し、クロッチ部４の長手方向の端部から胴開口部５の開口縁までの領域に存在している。また、ショーツ１の幅方向に関しては、クロッチ部４の端部から胴開口部５の開口縁へ向けて次第に幅を広げながら延びている。一方、脚周り布地８’は、ショーツ１の幅方向に関し、ショーツ１の一方の側方結合部Ｓから他方の側方結合部Ｓにわたって存在している。脚周り布地８は、略Ｖ字型の形状をしている。
【００２２】
後身頃３と同様に、前身頃２においても、胴回り布地７’及び脚周り布地８’は部分的に重ね合わされており、各布地７’，８’それぞれから単独で形成される部位と、両布地７’，８’が重ね合わされて構成されている部位とが存在している。前身頃２における両布地７’，８’が重ね合わされている部位の形状は、クロッチ部４における前身頃側の長手方向の端部４ｂから、前身頃２と後身頃３との結合部Ｓに向けてそれぞれ延びる略Ｖ字型の形状となっている（図１（ｂ）においてドット状の模様を付した部位）。略Ｖ字型の形状の部位（以下、この部位を前身頃パワーバンドＰＢ２という）は、前記の各布地７’，８’単独から構成されている部位よりも伸縮応力が高められている。各布地７’，８’の伸縮応力及び前身頃パワーバンドＰＢ２の伸縮応力については、後身頃３のそれと同様とすることができる。なお、前身頃パワーバンドＰＢ２は、後身頃パワーバンドＰＢ１に比較して、Ｖ字型の切れ込む角度が緩くなっている。
【００２３】
後身頃パワーバンドＰＢ１に加えて前身頃パワーバンドＰＢ２が形成されていることによって、ショーツ１の引き上げ性（即ちクロッチ部４の引き上げ性）が一層向上し、クロッチ部４における吸収性物品のフィット性が一層向上する。
【００２４】
前身頃パワーバンドの上側の端部Ｔ２（図１（ｂ）参照）は、結合部Ｓにおいて所定の幅をもって終端している。また、該端部Ｔ２は、胴開口部５の開口縁から所定の距離を隔てて側方結合部Ｓにおいて終端している。更に、前身頃２と後身頃３とが側方結合部Ｓにおいて結合された状態においては、前身頃パワーバンドＰＢ２の上側の端部Ｔ２と、後身頃パワーバンドＰＢ１の上側の端部Ｔ１とは、結合部Ｓにおいて、同位置において同幅で連接している。その結果、前身頃２及び後身頃３それぞれにおけるパワーバンドＰＢ２，ＰＢ1によるショーツ１の引き上げ力が相互に伝達され、ショーツ１の引き上げ効果が一層高まる。また吸収性物品のフィット性が向上し、漏れが一層防止される。更に、各パワーバンドＰＢ１，ＰＢ２が結合部Ｓにおいて連接していることで、胴開口部５の開口縁に配されている弾性部材９によるショーツ１の身体への固定と、各パワーバンドＰＢ１，ＰＢ２によるショーツ１の身体への固定との相乗効果が作用し、ショーツ１のずり落ちが一層防止される。この効果は、各パワーバンドＰＢ１，ＰＢ２の連接位置が、胴開口部５の開口縁から所定距離だけ隔てられていることによって更に一層高めることができる。当該距離は、先に述べたＤ１（図１（ｂ）参照）であることが好ましい。
【００２５】
前身頃２においては、胴周り布地７’と脚周り布地８’が、少なくとも胴回り側縫合線１０’と脚部側縫合線１１’の２ヵ所における縫合によって結合されており、これによって先に述べた前身頃パワーバンドＰＢ２が形成されている。脚部側縫合線１１’は、前身頃パワーバンドＰＢ２とクロッチ部４との結合部付近を除き、脚周り布地８’によって形成される脚開口部６の縁部１２’から隔てられている。その結果、縁部１２’及びその近傍の部位においては、前身頃パワーバンドＰＢ２とクロッチ部４との結合部付近を除き、脚周り布地８’が他の布地と縫い合わされている縫い目が存在していない。それによって、ショーツ１を着用した場合、前身頃２においても縁部１２’がアウターに響かないという利点がある。なお、縁部１２’が波形形状になっていることや、伸縮性のレース地から構成され得ることは、後身頃３の脚周り布地８と同様である。
【００２６】
図１（ａ）及び（ｂ）並びに図２に示すように、クロッチ部４の長手方向の前後端部においては、各パワーバンドＰＢ１，ＰＢ２の下端部が、クロッチ部４の幅方向にわたり、例えば縫合によってクロッチ部４と結合されている。この場合、結合部分の長さは、クロッチ部４の全幅に近ければ近いほど、該クロッチ部４の形状が安定になる点から好ましい。この状態を図４に示す。クロッチ部４の前後端部に各パワーバンドＰＢ１，ＰＢ２が結合されていることによって、クロッチ部４がその長手方向に伸長されてその形状が安定化される。この場合、クロッチ部４の四隅に近い位置で、クロッチ部４の前後端部が各パワーバンドＰＢ１，ＰＢ２に結合されているほど、クロッチ部４の伸長が一層顕著となりその形状が一層安定化する。この観点から、各パワーバンドＰＢ１，ＰＢ２の下端部とクロッチ部４の前後端部との結合部分の長さは、クロッチ部４の幅方向の長さの７０％以上であることが好ましく、更に好ましくは８０％以上、一層好ましくは９０％以上である。勿論、結合部分の長さは、クロッチ部４の前後端部の幅方向の長さと同じであることが最も好ましい。
【００２７】
図４に示す説明から明らかなように、クロッチ部４の形状の安定化は、クロッチ部４の少なくとも四隅が、各パワーバンドＰＢ１，ＰＢ２の下端部と結合していれば達成される。従って、各パワーバンドＰＢ１，ＰＢ２の下端部は、その側部付近がクロッチ部４の前後端部に結合していれば、その幅方向中心部付近がクロッチ部４の前後端部に結合していなくてもよい。この場合には、クロッチ部４の前後端部における幅方向の長さの好ましくは５０〜９０％、更に好ましくは６０〜８０％が、各パワーバンドＰＢ１，ＰＢ２の下端部と結合されていることが好ましい。
【００２８】
図５には、クロッチ部４の断面の構造が示されている。クロッチ部４は、着用者の身体に近い側に位置する内面クロッチ部１３と、着用者の身体に遠い側に位置する外面クロッチ部１４とを有している二重構造になっている。内面クロッチ部１３は、生理用ナプキン等の吸収性物品を固定するために用いられる。特に、ウイング部を有する吸収性物品における該ウイング部を折り曲げて固定するために用いられる。外面クロッチ部１４は、ショーツ１の股下部の外面をなしている。
【００２９】
内面クロッチ部１３は、その前後端が前身頃２及び後身頃３の各パワーバンドに縫合されている。縫合位置は、外面クロッチ部１４が、前身頃２及び後身頃３の各パワーバンドに縫合される位置と同位置になっている。縫合された内面クロッチ部１３の前後端の間は、その全域が外面クロッチ部１４から離隔可能になっている。
【００３０】
内面クロッチ部１３は二枚重ねの布が縫合され、二枚の布の間に保形部材１５が挿入されている。保形部材１５は、クロッチ部４の長手方向に延びる形状をしており、その縦中心線がクロッチ部４の縦中心線と一致するように配されている。保形部材１５は、クロッチ部４に取り付けられた吸収性物品の変形を防ぎ、吸収性物品の形状を維持する働きを有する。この観点から、保形部材１５は、剛性値の高い材料から構成されていることが好ましい。
【００３１】
内面クロッチ部１３を構成する布は、外面クロッチ部１４を構成する布よりも伸縮性が弱いことが好ましい。また内面クロッチ部１３を構成する布は、その非伸張時（自然状態）の長さが、外面クロッチ部１４を構成する布の非伸張時（自然状態）の長さよりも長いことが好ましい。このように構成されていることで、ショーツ１の装着状態において、クロッチ部４の形状が一層安定化する。この理由は、ショーツ１の装着状態においては、外面クロッチ部１４のみが、ショーツ１の引き上げ等の操作によって伸長・変形するのに対して、吸収性物品を固定する部材である内面クロッチ部１３は伸長が抑えられて、変形しづらくなっているからである。
【００３２】
吸収性物品が固定される部材である内面クロッチ部１３は、その左右両側縁部が、ショーツ１の後身頃３における脚周り側を覆う部材である脚周り布地８によって形成される脚開口部６の縁部１２と滑らかに連なっていることが好ましい。同様に、ショーツ１の前身頃２においても、脚周り側を覆う部材である脚周り布地８’によって形成される脚開口部６の縁部１２’と、内面クロッチ部１３の左右両側縁部とが滑らかに連なっていることが好ましい。これによって、内面クロッチ部１３の左右両側縁部と、脚開口部６の縁部１２，１２’とが、着用者の脚部を連続して取り巻くようになり、クロッチ部４の安定化がより一層向上する。
【００３３】
本実施形態のショーツ１においては、図６に示すように、ショーツ１を、前身頃２を上に向けて平らな状態に載置したとき、前身頃２とクロッチ部４との結合部及びその近傍の部位にたるみが生じるような形状に前身頃２が構成されている。このようなたるみが生じるように前身頃２の形状をデザインすることで、ショーツ１の装着状態において、着用者の脚部の動きが阻害されにくくなる。特に、先に述べたように、内面クロッチ部１３の左右両側縁部と、脚開口部６の縁部１２，１２’とが滑らかに連なっている場合には、着用者の脚部の動きが一層阻害されにくくなる。
【００３４】
本実施形態のショーツ１においては、図１（ａ）に示すように、後身頃３に、胴開口部５の幅方向中央部からクロッチ端部にわたって、縦中心線に沿って、弾性部材１３が配されている。これによって、クロッチ部４の引き上げ力が増し、吸収性物品のフィット性が向上し、また着用者の体型や動きに対する後身頃３の追従性が向上する。尚、パワーバンドＰＢ１の引き上げ力を阻害しないよう、弾性部材１３の伸縮応力は、パワーバンドＰＢ１よりも弱い方が好ましい。
【００３５】
本実施形態のショーツ１に装着される吸収性物品２しては、着衣対向面にホットメルト粘着剤を始めとする各種の固定材料が施されたものであればその種類に特に制限はない。例えば生理用ナプキン、失禁用パッド、パンティライナー、補助パッド等の吸収性物品が挙げられる。
【００３６】
以上、本発明をその好ましい実施形態に基づき説明したが、本発明は前記実施形態に制限されない。例えば前記実施形態においては、前身頃２及び後身頃３それぞれにパワーバンドＰＢ２，ＰＢ１が形成されていたが、ショーツ１の引き上げ効果は、後身頃パワーバンドＰＢ１のみでも十分に奏される。
【００３７】
また図３では、胴周り布地７，７’及び脚周り布地８，８’を、それぞれ前身頃用と後身頃用の一枚の布地として形成しているが、これに代えて２枚以上の布地を縫合して立体的形状に沿うように形成してもよい。或いは、布地を重ね合せてパワーバンドを部位ごとに調整するように形成しても良い。なお、後身頃の胴回り布地７には、前記縫合線に沿って弾性部材を配置しても良い。また、着用者のデザイン面の意識を高め、フィット性と通気性を良好にする観点から、側部結合部Ｓ付近に、伸張性の異なる各種レース地を配することが好ましい。
【００３８】
また、胴回り側縫合線１０と脚部側縫合線１１の２ヵ所における縫合によって結合されて作られたパワーバンドは、その縫合に伸縮性を有する弾性糸を使用することができる。これによって、フィット性を一層向上させることができる。更に、このような縫合を胴回り側縫合線１０と脚部側縫合線１１の間に多数設けることで、帯状形態に近づけるとともに、引き下げ力に対する側部方向へ向かう力の割合を増すことができる。一方、胴回り側縫合線１０と脚部側縫合線１１の２ヵ所における縫合を、前記縫合線の間の生地に余裕をもたせる、即ち、縫合線上の生地を詰めながら接合することによって、縫合線間の生地に膨らみをもたせ、身体の立体形状におけるフィット性を高めることができる。この機能は、弾性糸を伸張状態で縫合することでも実現できる。
【００３９】
また前記実施形態においては、各パワーバンドＰＢ１，ＰＢ２は、胴開口部５の開口縁から所定距離を隔てて側方結合部Ｓで終端しているが、これに代えて、各パワーバンドＰＢ１，ＰＢ２の少なくとも一方は、その上側の端部Ｔ１，Ｔ２の一部が、胴開口部５の開口縁に位置していてもよい。
【００４０】
また前記実施形態においては、各パワーバンドＰＢ１，ＰＢ２の上側の端部Ｔ１，Ｔ２は側方結合部Ｓにおいて、同位置において同幅で連接しているが、各パワーバンドＰＢ１，ＰＢ２の引き上げ力が互いに伝達される構成である限り、同位置において同幅で連接している必要はない。例えば、端部Ｔ１，Ｔ２が同幅又は異なる幅であって、且つ両者が互いにずれていてもよい。この場合、両者の間に全く重なり部分がなくてもよく、或いは一部は重なり合っていてもよい。全く重なり部分がない場合、端部Ｔ１，Ｔ２のずれの程度が５〜１５ｍｍ程度であれば、各パワーバンドＰＢ１，ＰＢ２の引き上げ力が互いに伝達される。また、端部Ｔ１，Ｔ２の幅が互いに異なる場合には、幅広の端部の間に幅狭の端部が位置していてもよい。
【００４１】
また、着用者の体型によっては、各パワーバンドＰＢ１，ＰＢ２の引き上げ力が互いに伝達させない方が好ましい場合もある。この場合は、各パワーバンドの端部の側方結合部Ｓでの位置を変えることが好ましい。例えば、後身頃３のフィット性を強めたい場合は、後身頃３のパワーバンドＰＢ１の端部Ｔ１を、前身頃２のパワーバンドＰＢ２の端部Ｔ２よりも胴開口部５に近い位置に設定すればよい。一方、前身頃２のフィット性を強めたい場合は、前身頃２のパワーバンドＰＢ２の端部Ｔ２を、後身頃３のパワーバンドＰＢ１の端部Ｔ１よりも胴開口部５に近い位置に設定すればよい。
【００４２】
また、弾性部材１３は用いなくてもよいが、臀部でのフィット性、後身頃３の引き上げ性を強化したい場合には、弾性部材１３は配されることが好ましい。クロッチ部４の前側から前身頃２方向への引き上げ性を強化させたい場合は、クロッチ部４の長手方向の前側端部から前身頃２の縦方向中心線に沿って、弾性部材（図示せず）を配してもよい。また、後身頃３や前身頃２にこれらの弾性部材を配する場合は、パワーバンドの引き上げ力を阻害しないように、これらの弾性部材の伸縮応力を、パワーバンドの伸縮応力よりも小さくしたり、長さを短くしたり、位置を変える等の調節をすることが好ましい。弾性部材の位置や長さを変える場合には、該弾性部材は胴開口部５又はクロッチ部４に接合しないことが好ましい。
【００４３】
また前記実施形態においては、脚周り布地８，８’は伸縮性の素材から構成されていたが、パワーバンドの伸縮応力が、胴周り布地７，７’及び脚周り布地８，８’単独から構成されている部位よりも高くなっていれば、脚周り布地８，８’に伸縮性は必要とされない。
【００４４】
また前記実施形態のショーツ１は、脚開口部の縁部１２，１２’が斜め上方に向かって切れ上がった形状になっているが、これに代えて一分丈などの形状にしてもよい。
【図面の簡単な説明】
【００４５】
【図１】図１（ａ）は、本発明のショーツが着用された状態で、該ショーツを後身頃側からみた正面図であり、図１（ｂ）はショーツが着用された状態で、該ショーツを前身頃側から見た正面図である。
【図２】図２は、図１に示すショーツを、前身頃と後身頃との結合部で切断して平面に広げた状態を内側からみた平面図である。
【図３】図３（ａ）及び（ｂ）は、前身頃及び後身頃をそれぞれ構成する布地を示す図である。
【図４】図４は、クロッチ部の形状が安定化される状態を説明する模式図である。
【図５】図５は、図２におけるＶ−Ｖ線断面図である。
【図６】図６は、図１に示すショーツを、前身頃を上に向けて平らな状態に載置した状態を示す図である。
【符号の説明】
【００４６】
１  サニタリーショーツ
２  前身頃
３  後身頃
４  クロッチ部
５  胴開口部
６  脚開口部
７  胴回り部を形成する布地
８  脚周り側を覆う布地
９  弾性部材
１０  胴回り側縫合線
１１  脚部側縫合線
１２  縁部
１３  内面面クロッチ部
１４  外面クロッチ部
１５  保形部材
【図１】
2006166941.tif 000003
【図２】
2006166941.tif 000004
【図３】
2006166941.tif 000005
【図４】
2006166941.tif 000006
【図５】
2006166941.tif 000007
【図６】
2006166941.tif 000008